(57)【要約】【課題】  仰向きの状態および横向きの状態の姿勢に対応しつつも、女性・男性等の個人差に対応した寝心地を得ることのできる枕を提供する。【解決手段】  後頭部の形状に沿って凹状に形成され、後頭部が載置される後頭載置部１６と、後頭載置部１６の前方に隣接して配置され、頸椎部の形状に沿って後頭載置部１６よりも高く形成され、頸椎部が載置される頸椎載置部１８と、少なくとも後頭載置部１６の両側方に配置され、後頭載置部１６よりも高く形成され、側頭部が載置される側頭載置部２０とを有する上層芯材と、上層芯材の少なくとも後頭載置部１６下方に配置される下層芯材とを備える枕１０であって、上層芯材を単独で用い、あるいは上層芯材と下層芯材とを組み合わせて用いることで所定高さに調整可能とされる。【選択図】図１
2015150372.tif 000002
【特許請求の範囲】
【請求項１】
後頭部の形状に沿って凹状に形成され、後頭部が載置される後頭載置部と、前記後頭載置部の前方に隣接して配置され、頸椎部の形状に沿って前記後頭載置部よりも高く形成され、頸椎部が載置される頸椎載置部と、少なくとも前記後頭載置部の両側方に配置され、前記後頭載置部よりも高く形成され、側頭部が載置される側頭載置部とを有する上層芯材と、前記上層芯材の少なくとも前記後頭載置部下方に配置される下層芯材とを備え、
前記上層芯材を単独で用い、あるいは前記上層芯材と前記下層芯材とを組み合わせて用いることで所定高さに調整可能とされたことを特徴とする枕。
【請求項２】
請求項１において、
前記上層芯材と下層芯材とは、中間部を残して外周部が一体化処理されていることを特徴とする枕。
【発明の詳細な説明】
【技術分野】
【０００１】
本発明は、枕に関し、特に、使用者にとって最適な使用状態が得られる枕に関する。
【背景技術】
【０００２】
自然な寝姿勢を確保することができる枕として、特許文献１に示すようなものが提案されている。
【０００３】
この枕は、後頭部が載置される後頭載置部と、後頭載置部の前方に隣接して配置され、頸椎部が載置される頸椎載置部と、後頭載置部および頸椎載置部の左右側方に配置され、側頭部が載置される側頭載置部とを備えたものとされ、仰向き状態での寝姿勢はもちろん、仰向き状態から横向き状態へ姿勢を変えたときにも側頭載置部により側頭部を自然な状態で支持することができるようになっている。
【先行技術文献】
【特許文献】
【０００４】
【特許文献１】特開２００７−１４５９６号公報
【発明の概要】
【発明が解決しようとする課題】
【０００５】
特許文献１に示される枕にあっては、仰向きの状態および横向きの状態の姿勢に対応し得るものの、ベッドマットや敷き布団と後頭部から首にかけての隙間には、枕使用者によって個人差があり、ベッドマットや敷き布団と後頭部から首にかけての隙間が合わない枕は首や肩、胸の筋肉に負担がかかり寝心地が悪くなることとなる。
【０００６】
特に、女性・男性の後頭部、首の高さには明らかに相違があり、また体格等によって相違が生じることとなる。
【０００７】
本発明の目的は、仰向きの状態および横向きの状態の姿勢に対応しつつも、女性・男性等の個人差に対応した寝心地を得ることのできる枕を提供することにある。
【課題を解決するための手段】
【０００８】
前記目的を達成するため、本発明の枕は、後頭部の形状に沿って凹状に形成され、後頭部が載置される後頭載置部と、前記後頭載置部の前方に隣接して配置され、頸椎部の形状に沿って前記後頭載置部よりも高く形成され、頸椎部が載置される頸椎載置部と、少なくとも前記後頭載置部の両側方に配置され、前記後頭載置部よりも高く形成され、側頭部が載置される側頭載置部とを有する上層芯材と、前記上層芯材の少なくとも前記後頭載置部下方に配置される下層芯材とを備え、
前記上層芯材を単独で用い、あるいは前記上層芯材と前記下層芯材とを組み合わせて用いることで所定高さに調整可能とされたことを特徴とする。
【０００９】
本発明によれば、後頭載置部と頸椎載置部とによって仰向き状態での快適な寝姿勢を保つことができ、しかも、側頭部載置部によって横向き状態での快適な寝姿勢を保つことができ、さらには、上層芯材を単独で用い、あるいは上層芯材と前記下層芯材とを組み合わせて用いることで女性・男性等の個人差に応じた所定高さに調整することができ、個人差に応じた最適な寝姿勢を保って、快適な寝心地を得ることができる。
【００１０】
本発明においては、前記上層芯材と下層芯材とは、中間部を残して外周部を一体化処理
することができる。
【００１１】
このような構成とすることにより、あらかじめ準備した上層芯材と下層芯材とを外周部を一体化処理することで、高さの異なる複数の製品を容易に製造することができる。
【図面の簡単な説明】
【００１２】
【図１】本発明の一実施の形態にかかる枕の斜視図である。
【図２】図１のII−II線に沿う断面図である。
【図３】図１のIII−III線に沿う断面図である。
【図４】上層芯材と下層芯材とを組み合わせた図３相当の枕を示す断面図で、（Ａ）はふつう高さの枕を示す断面図、（Ｂ）は高めの枕を示す断面図である。
【発明を実施するための形態】
【００１３】
以下、本発明の実施の形態について、図面を参照して説明する。
【００１４】
図１は、本発明の一実施の形態にかかる枕の斜視図で、図２は図１のII−II線に沿う断面図、図３は図１のIII−III線に沿う断面図である。
【００１５】
この図１〜図３に示す実施の形態では、上層芯材を単独で用いた場合を示している。
【００１６】
この枕１０は、上層芯材１２をカバー１４で被覆した状態となっている。
【００１７】
上層芯材１２は、後頭載置部１６と、頸椎載置部１８と、側頭載置部２０とを上面に有している。
【００１８】
後頭載置部１６は、図２に示すように、後頭部２２の形状に沿って凹状に形成され、後頭部２２が載置されるようになっている。
【００１９】
頸椎載置部１８は、後頭載置部１６の前方に隣接して配置され、頸椎部２４の形状に沿って、図２に示すように、後頭載置部１６の高さｈ１よりも高い高さｈ２に形成され、頸椎部２４が載置されるようになっている。
【００２０】
また、後頭載置部１６頸椎載置部１８とは、後頭部２２および頸椎部２４が載置された状態で、図２に示すように、Ｓ字カーブ２６を形成するようになっており、これによってベッドマットや敷き布団と後頭部２２から頸椎２４にかけての隙間を埋め、立ち姿勢に近い自然な体勢を保ち、首や肩、胸の筋肉に負担がかかるのを防ぎ、快適な寝心地を確保することが可能となる。
【００２１】
側頭載置部２０は、少なくとも後頭載置部１６の両側方に配置され、後頭載置部１６の高さｈ１よりも高い高さｈ３（図３参照）に形成され、側頭部２８が載置されるようになっている。
【００２２】
このように、側頭載置部２０を設けることによって、横向きに寝るほど床面と頭との距離が離れたとしても側頭載置部２０によって確実に側頭部２８を支持することができ、快適な寝姿勢を保持することができる。
【００２３】
さらに、後頭載置部１６、頸椎載置部１８及び側頭載置部２０の存在によって、例えば、上向き、斜め上向き、横向き、斜め下向き及びうつ伏せ等の寝姿勢に対応することが可能となる。
【００２４】
また、この上層芯材１２は、例えばポリエーテルエステル系樹脂にて形成されるようになっている。
【００２５】
カバー１４は、上層芯材１２の表面形状に沿わせた形状を有する袋状のものとされている。
【００２６】
また、このカバー１４は、例えばポリエステル樹脂からなるニット製のものとされている。
【００２７】
さらに、この枕１０は、上層芯材１２の頸椎載置部１８における高さｈ２が６．５ｃｍとされ、この高さの上層芯材１２を単独で用いることによって低めの高さの枕１０として形成するようにしている。
【００２８】
また、この低めの高さの枕１０に対し、図４（Ａ）に示すようなふつうの高さの枕１０や図４（Ｂ）に示すような高めの高さの枕１０を形成することができるようになっている。
【００２９】
このような、低め、ふつうおよび高めの高さの枕１０を形成することとしたのは、ベッドマットや敷き布団と後頭部から頸椎にかけての隙間には個人差があるためであり、そのため、女性・男性の後頭部・頸椎の高さの平均値から計算した高さをもとに３種類の高さを決定したものである。
【００３０】
すなわち、低めの場合は頸椎載置部１８における高さｈ２が６．５ｃｍ、図４（Ａ）に示す普通の高さの場合は頸椎載置部１８における高さｈ２が８ｃｍ、図４（Ｂ）に示す高めの高さの場合は頸椎載置部１８における高さｈ２が１０．５ｃｍとされている。
【００３１】
なお、頭の平均重さは成人約５ｋｇとして計算した。
【００３２】
また、低めの高さの場合は上層芯材１２を単独で用いれば足りるが、図４（Ａ）のふつうの高さ及び図４（Ｂ）の高めの高さの場合には、それぞれ少なくとも上層芯材１２の後頭載置部１６下方に配置したそれぞれの高さの下層芯材３０をあらかじめ準備し、これら下層芯材３０と上層芯材１２とを組み合わせて用いることで所定高さに調整可能とされている。
【００３３】
なお、図４（Ａ）のふつう高さの場合は下層芯材３０の高さを１．５ｃｍ、図４（Ｂ）の高めの高さの場合は下層芯材３０の高さを４ｃｍとすることで、上層芯材１２の高さを一定にして下層芯材３０の高さを異ならせることにより容易に対応することができる。
【００３４】
この場合において、図４（Ａ）のふつう高さの場合のように下層芯材３０の高さが低くなりすぎるような場合には、例えば上層芯材１２の高さを４ｃｍ、下層芯材３０の高さを４ｃｍに変更することも可能である。
【００３５】
また、上層芯材１２と下層芯材３０とは、中間部を残して外周部が一体化処理されるようになっている。
【００３６】
この一体化処理の手段としては、たとえば、溶着、接着等の手段を採用することが可能である。
【００３７】
なお、下層芯材３０は、上層芯材と同様にポリエーテルエステル系樹脂にて形成されるようになっている。
【００３８】
このように、あらかじめ準備した上層芯材１２と下層芯材３０とを外周部を溶着一体化することで、高さの異なる複数の製品を容易に製造することができることとなる。
【００３９】
また、後頭載置部１６と頸椎載置部１８とによって仰向き状態での快適な寝姿勢を保つことができ、しかも、側頭部載置部２０によって横向き状態での快適な寝姿勢を保つことができ、さらには、上層芯材１２を単独で用い、あるいは上層芯材１２と下層芯材３０とを組み合わせて用いることで女性・男性等の個人差に応じた所定高さに調整することができ、個人差に応じた最適な寝姿勢を保って、快適な寝心地を得ることができることとなる。
【産業上の利用可能性】
【００４０】
本発明は、前記実施の形態に限定されるものではなく、本発明の要旨の範囲内において種々の形態に変形可能である。
【００４１】
例えば、前記実施の形態では、上層芯材および下層芯材をポリエーテルエステル系樹脂、カバー１４をポリエステル樹脂にて形成するようにしているがこれらの樹脂に限定されるものではなく、必要に応じて種々の材料に変形することが可能であり、上層芯材および下層芯材も同一材料ではなく異なる材料を用いることも可能である。
【００４２】
また、前記実施の形態においては、下層芯材を少なくとも上層芯材の後頭載置部下方に配置するようにしているが、この例に限らず、上層芯材の下側全体に配置するようにすることもできる。
【符号の説明】
【００４３】
１０  枕
１２  上層芯材
１４  カバー
１６  後頭載置部
１８  頸椎載置部
２０  側頭載置部
２２  後頭部
２４  頸椎部
２６  Ｓ字カーブ
２８  側頭部
３０  下層芯材
【図１】
2015150372.tif 000003
【図２】
2015150372.tif 000004
【図３】
2015150372.tif 000005
【図４】
2015150372.tif 000006